【事件の表示】
　平成１０年特許願第　４６０９９号「画面作成方法」拒絶査定に対する審判事件［平成１１年　９月１７日出願公開、特開平１１−２５００５０］について、次のとおり審決する。
【結　論】
　本件審判の請求は、成り立たない。
【理　由】
１．手続の経緯及び本願発明
　本件審判請求に係る出願は、平成１０年２月２７日の出願であって、特許を受けようとする発明は、特許請求の範囲の請求項１ないし１０に記載されたとおりのものであり、その請求項１に係る発明は次のとおりのもの（以下、「本願発明」という。）と認める。
　なお、平成１１年１０月２８日付手続補正書は、本審決と同日付けで決定を以て却下された。
「画像嵌め込み領域を有するテンプレートをそれぞれ備えた複数のテンプレートファイルからユーザに所定のテンプレートファイルを選択させ、選択されたテンプレートファイル内のテンプレートを表示するとともに表示したテンプレートの画像嵌め込み領域にユーザが指定した画像を嵌め込ませることによって、所定の画面を作成する画面作成方法であって、
　各テンプレートファイル毎に、画像嵌め込み領域の位置およびサイズに関する属性情報を持たせておき、ユーザによって選択されたテンプレートファイル内のテンプレートを表示した後に、画像嵌め込み領域に嵌め込むべき画像がユーザによって指定された際には、ユーザによって選択されたテンプレートファイル内の上記属性情報に基づいて、テンプレートの画像嵌め込み領域に対応する位置に画像嵌め込み領域のサイズに応じた大きさで、ユーザによって指定された画像を表示させることを特徴とする画面作成方法。」
　
２．引用例に記載の発明
　これに対して、原査定の拒絶の理由において引用された、本願の出願前に国内において頒布された刊行物である特開平４−４２３５６号公報（以下、「引用例１」という。）には、図１〜１８とともに次のア〜エの記載があることが認められる。
ア．「〔作用〕この発明による文書編集装置は、描画した画像又はスキャナによって読み込んだ画像の大きさと位置を指定すれば、編集文書中の画像を差し込む領域の大きさに応じた変倍率で拡大又は縮小して差し込むので、差し込む画像が領域内に丁度納まるように画像の大きさや差し込み位置を変更する操作が不要となる。」（公報第２頁右下欄第３〜１０行）
イ．「第３図は、編集範囲情報格納部７に差し込む画像の範囲の情報を格納する際のフォーマットを示す説明図である。この編集範囲情報格納エリア３１には、編集範囲指定処理部６の処理によって指定された文書中に差し込む画像の範囲を示す情報として、上位タスク識別コード、処理コマンド、描画密度、描画領域開始横位置、描画領域開始縦位置、描画領域横幅、描画領域縦幅、表示倍率、表示位置、及びファイルサイズ等を順に格納する。図４は、画像情報格納部１４に文書中に差し込む画像のヘッダ情報を格納する際のフォーマットを示す説明図である。このヘッダ情報格納エリア３２には、文書中に差し込む画像のヘッダ情報である、データ種類、支点横位置、支点縦位置、横幅、縦の長さ、圧縮法等を順に格納する。」（公報第４頁左下欄第１９行〜同頁右下欄第１５行）
ウ．「この画像データ変倍処理は、ステップ６０で画像データ変倍処理部１８によって画像情報格納部１４のヘッダ情報を読み出し、ステップ６１で領域情報格納部１９の差し込み領域枠の情報の読み出しが行なわれると、ステップ６２でそれらの情報をもとにして画像の変倍率を求める処理と画像データを変倍して転送する先のアドレスを作成する処理を行なう。そして、ステップ６３で画像展開用メモリ１７に展開されている画像データをステップ６２で求めた変倍率によって拡大又は縮小してレイアウト編集データ格納部２０の所定の位置に転送するとリターンする。」（公報第５頁右下欄第４〜１５行）
エ．「第１３図は、第１図のディスプレイ２３の表示画面２３ａの一表示例を示す図であり、その表示画面２３ａのレイアウト領域４０に編集された文書中に画像差し込み領域４１を作成した後、画像編集を指示してスキャナ１０から読み取った画像４３を画面右下にウィンドウで表示される図形編集領域４２内において編集を終了した状態を示している。ここで、操作者がマウスカーソル４４を差し込み画像４３の範囲を示す対角点４３Ｐ１及びＰ２に順に合わせてマウスボタンをクリックして、次にマウスカーソル４４をレイアウト編集領域４０の差し込み領域枠４１内に合わせてマウスボタンをクリックすると、第１４図に示すように差し込み領域枠４１内に丁度納まる大きさに縮小された差し込み画像４３が表示される。」（公報第６頁右下欄第６行〜第７頁左上欄第１行）
　上記ア〜エの記載からみて、引用例１には、編集された文書中に作成された画像差し込み領域４１に、描画した画像又はスキャナによって読み込んだ差し込み画像を差し込ませることによって、所定の画面を作成する文書編集方法が記載されている。
　そして、上記イの「文書中に差し込む画像の範囲を示す情報として、上位タスク識別コード、処理コマンド、描画密度、描画領域開始横位置、描画領域開始縦位置、描画領域横幅、描画領域縦幅、表示倍率、表示位置、及びファイルサイズ等を順に格納する。」及び図１３の記載からみて、差し込み領域４１は、文書ファイル中に設定され、その差し込み領域４１の情報は、その領域の位置およびサイズに関する属性情報を有していることは明らかである。
　更に、上記イ〜エの記載からみて、引用例１には、編集された文書中に作成された静止画像差し込み領域４１を表示した後、該差し込み領域４１に差し込み静止画像が指定された際には、該差し込み領域４１に対応する位置に該差し込み領域４１のサイズに応じた大きさで、差し込み静止画像が表示されることが記載されている。
　したがって、引用例１には、
「編集された文書中に作成された静止画像差し込み領域４１に、描画した画像又はスキャナによって読み込んだ差し込み静止画像を差し込ませることによって、所定の画面を作成する文書編集方法であって、上記静止画像差し込み領域４１が設定された文書ファイルに、その位置およびサイズに関する属性情報を持たせておき、上記静止画像差し込み領域４１を表示した後、その静止画像差し込み領域４１に差し込み静止画像が指定された際には、該差し込み領域４１に対応する位置に該差し込み領域４１のサイズに応じた大きさで、上記差し込み静止画像が表示される文書編集方法」の発明が記載されているものと認められる。
　
　同様に、本願の出願前に国内において頒布された刊行物である「Microsoft Office for Windows 95　活用ガイド」 、初版、マイクロソフト株式会社、１９９５年１１月１５日、p.２４７〜２８３（以下、「引用例２」という。）には、　　複数のテンプレートファイルから、ユーザが選択したテンプレートファイル内のテンプレートを表示し、その表示したテンプレートにユーザが指定した画像を嵌め込ませて表示することが記載されている。
　
３．　対比
　本願発明（以下、「前者」という。）と引用例１に記載の発明（以下、「後者」という。）を対比する。
　後者の「画像差し込み領域４１」、「差し込み画像」及び「文書編集方法」は、前者の「画像嵌め込み領域」、「指定した画像」及び「画面作成方法」に相当する。
　したがって、両者は、
「画像嵌め込み領域にユーザが指定した画像を嵌め込ませることによって、所定の画面を作成する画面作成方法であって、ファイルに画像嵌め込み領域の位置およびサイズに関する属性情報を持たせておき、上記ファイルを表示した後に、画像嵌め込み領域に嵌め込むべき画像がユーザによって指定された際には、ファイル内の上記属性情報に基づいて、画像嵌め込み領域に対応する位置に画像嵌め込み領域のサイズに応じた大きさで、画像が表示される画面作成方法」の点で一致している。
　両者は、以下の点で相違する。
（１）前者が複数のテンプレートファイルを用いているのに対して、後者は、複数のテンプレートファイルを用いていない点。
（２）画像を表示させるのに、
　前者が指定された画像の画像タイプを判別した結果と、属性情報とに基づいて表示させるのに対して、
　後者は、画像タイプを判別した結果を用いているか否か不明な点。
　
４．　当審の判断
  相違点（１）について、
　引用例２には、上記したように、複数のテンプレートファイルから、ユーザが選択したテンプレートファイル内のテンプレートを表示し、その表示したテンプレートにユーザが指定した画像を嵌め込ませて表示することが記載されていることから、当業者が後者に引用例２に記載の上記事項を用いて前者の構成のようにすることは、容易に推考できたものと認める。
　相違点（２）について、
　画像タイプを判別して画像を表示させることは、本願出願前に周知の技術手段（例えば、「Microsoft Windous Operating System Version 3.1　機能ガイド」Microsoft Corporation、１９９３年、p.１６９〜１７３、特開平４−１１４２６９号公報参照）であるから、当業者が後者に周知の技術手段を用いて前者の構成のようにすることは、容易に推考できたものと認める。　
　
　前者の効果は、上記引用例１、２に記載された発明の効果から予測できる範囲内のものである。
　
５．むすび
　以上のとおりであるから、本願の請求項１に係る発明は、引用例１及び２に記載された発明及び周知の技術手段に基づいて、当業者が容易に発明をすることができたものであるから、特許法第２９条第２項の規定により特許を受けることができない。
　よって、結論のとおり審決する。